(57)【特許請求の範囲】
【請求項１】
電子部品の対向配置した一対の接点のうち一方の接点と接して前記電子部品を電気ケーブルに電気的に接続する接続端子と、
他方の前記接点と接する端子部材と、
前記接続端子及び前記端子部材を挿着する函体とで構成し、
前記端子部材に、
前記電子部品を挟み込む挟込方向の第１バネと、
前記第１バネの一端に配し、前記函体へ係着する係着部と、
前記第１バネの他端側において前記他方の接点に接する接触部分に配し、前記挟込方向の第２バネとを備え、
前記係着部による前記函体への係着部分を反力として、前記第１バネ及び前記第２バネの付勢力によって、前記接続端子と前記端子部材とで前記電子部品を対向方向の両側から付勢しながら挟み込む
接続構造。
【請求項２】
前記第１バネのバネ定数を、前記第２バネのバネ定数より大きく構成するとともに、
前記第２バネに、塑性変形範囲における所定の変形量以上の変形を制限する変形制限手段を備えた請求項１に記載の接続構造。
【請求項３】
前記函体に、
前記電子部品の前記挟込方向側方からの差込挿着を許容する差込挿着口を有する電子部品収容部を形成し、
該電子部品収容部内に、
前記一方の接点に接する前記接続端子の接触部分を配置した
請求項１または２に記載の接続構造。
【請求項４】
前記端子部材に、
複数の前記第１バネと、該複数の第１バネの端部同士を連結する連結部材とを備えるとともに、前記係着部を該連結部材で構成し、
複数の前記第１バネの端部同士と、該連結部材とで構成する前記平面視内側の開口部に、前記電子部品収容部が収まるよう、前記係着部を係着して前記端子部材を前記函体に装着する
請求項３に記載の接続構造。
【発明の詳細な説明】
【技術分野】
【０００１】
この発明は、例えば、車両の照明装置や制御装置に使用される電子部品を、フラットケーブル等の電気ケーブルに接続する接続構造に関する。
【背景技術】
【０００２】
従来から、自動車の各種コントロールユニットや照明装置等にはプリント基板上に複数の電子部品を実装した電子部品搭載モジュールが用いられている。このような電子部品搭載モジュールは、例えば、半田接続によって電子部品を基板に実装し、モジュールと外部電気回路とは、基板と半田接続された端子を有するコネクタによって接続される（特許文献１参照）。
【０００３】
しかし、電子部品と回路導体とは半田接続されるため、例えば、平面視２ｍｍ×２ｍｍ角のＬＥＤチップのようにますます小型化する電子部品を接続する場合には、多くの工数もしくは設備投資と品質管理を要するという問題があるとともに、小型化された電子部品を安定して接続することが困難であった。
【０００４】
【特許文献１】特開２００４―１１１４３５号公報
【発明の開示】
【発明が解決しようとする課題】
【０００５】
この発明は、電子部品を安定した接続状態で電気ケーブルに接続できる接続構造を提供することを目的とする。
【課題を解決するための手段】
【０００６】
この発明は、電子部品の対向配置した一対の接点のうち一方の接点と接して前記電子部品を電気ケーブルに電気的に接続する接続端子と、他方の前記接点と接する端子部材と、前記接続端子及び前記端子部材を挿着する函体とで構成し、前記端子部材に、前記電子部品を挟み込む挟込方向の第１バネと、前記第１バネの一端に配し、前記函体へ係着する係着部と、前記第１バネの他端側において前記他方の接点に接する接触部分に配し、前記挟込方向の第２バネとを備え、前記係着部による前記函体への係着部分を反力として、前記第１バネ及び前記第２バネの付勢力によって、前記接続端子と前記端子部材とで前記電子部品を対向方向の両側から付勢しながら挟み込む接続構造であることを特徴とする。
【０００７】
この発明の態様として、前記第１バネのバネ定数を、前記第２バネのバネ定数より大きく構成するとともに、前記第２バネに、塑性変形範囲における所定の変形量以上の変形を制限する変形制限手段を備えることができる。
【０００８】
また、この発明の態様として、前記函体に、前記電子部品の前記挟込方向側方からの差込挿着を許容する差込挿着口を有する電子部品収容部を形成し、該電子部品収容部内に、前記一方の接点に接する前記接続端子の接触部分を配置することができる。
【０００９】
また、この発明の態様として、前記端子部材に、複数の前記第１バネと、該複数の第１バネの端部同士を連結する連結部材とを備えるとともに、前記係着部を該連結部材で構成し、複数の前記第１バネの端部同士と、該連結部材とで構成する前記平面視内側の開口部に、前記電子部品収容部が収まるよう、前記係着部を係着して前記端子部材を前記函体に装着することができる。
【００１０】
上記電子部品には、ＬＥＤチップ等の光源デバイスや各種センサ、さらには供給電圧を調整する抵抗器や、高い電圧が印加される場合のバイパス回路を構成するダイオード等であることを含む。  
上記接続端子は、電子部品を電気ケーブルに直接接続するピアス端子等の端子であることを含む。
【００１１】
また、上記端子部材は、接続端子によって電気ケーブルに電気的に接続された電子部品同士を電気的に接続することで電気回路を構成して間接的に電気ケーブルに接続する端子部材や、電子部品を電気ケーブルに直接接続して電気回路を構成する接続端子で構成する端子部材であることを含む。
【００１２】
上記電気ケーブルは、幅方向に所定間隔を隔てて配設した複数の平型導体と該複数の平型導体を一体的に平板状に被覆する被覆部材とからなるフラットケーブルであることをいう。  
なお、電気ケーブルとして丸撚り線を幅方向に並べて一体化したリボン電線を用いても良いが、放熱効果が高いフラットケーブルがより好ましい。
【発明の効果】
【００１３】
この発明によれば、電子部品を安定した接続状態で電気ケーブルに接続する接続構造を提供することができる。
【発明を実施するための最良の形態】
【００１４】
本発明のＬＥＤモジュール１は、図１乃至７に示すように、電子デバイス３（ＬＥＤ３０，抵抗器４０）における対向配置した一対の接点３２，４１のうち一方側の一方側接点３２ａ，４１ａと接して電子デバイス３をフラットケーブル１００に電気的に接続する接続端子６と、他方側の他方側接点３２ｂ，４１ｂと接する中間端子５と、中間端子５及び接続端子６を挿着するデバイスホルダー７とで構成している。
【００１５】
デバイスホルダー７は、挟込方向ｗ（図５参照）の側方からの電子デバイス３の差込挿着を許容する差込挿着口７０ａ（７１ａ，７２ａ）を有する電子デバイス収容部７０（７１，７２）を形成し、該電子デバイス収容部７０内に、前記電子デバイス３の一方側接点３２ａ，４１ａに接する接続端子６の接触プレート６１を配置している。
【００１６】
前記中間端子５は、電子デバイス３を挟み込む挟込方向ｗの３本のメインスプリング５１と、３本のメインスプリング５１の端部同士を連結する長手方向フレーム５３のうち、電子デバイス収容部７０に係着する係着フレーム５３ａと、他方側の回転軸フレーム５３ｂにおいて他方側接点３２ｂ，４１ｂに接する端子接触部５２に形成した挟込方向ｗのサブスプリング５２ａを備えている。
【００１７】
なお、中間端子５において、メインスプリング５１と長手方向フレーム５３とで構成する前記平面視内側の開口５５（５５ａ，５５ｂ）のうち、長手方向奥側ＬＢの開口５５ａにＬＥＤ収容部７１が収まるよう、一対の長手方向フレーム５３のうちメインスプリング５１の一端側、即ち、端子接触部５２の対向側である図２の左奥側（以下において「幅方向左側ＷＬ」とする。）の係着フレーム５３ａがデバイスホルダー７に係着して、中間端子５をデバイスホルダー７に装着することができる。
【００１８】
また、サブスプリング５２ａのバネ定数ｋ２を、メインスプリング５１のバネ定数ｋ１と異なるバネ定数であり、ｋ１＞ｋ２となるように設定するとともに、端子接触部５２は、所定の変形量以上の変形を制限するストッパ片５２ｂを備えており、端子接触部５２はストッパ片５２ｂによって、塑性変形領域での所定変形量まで変形可能に構成されている。
【００１９】
この構成により、ＬＥＤモジュール１は、電子デバイス収容部７０に差し込み挿着された電子デバイス３を、係着フレーム５３ａによるデバイスホルダー７への係着を反力として、メインスプリング５１及びサブスプリング５２ａの付勢力によって、中間端子５と接続端子６とで電子デバイス３を挟込方向ｗの両側から付勢しながら挟み込んでいる。
【００２０】
上述するＬＥＤモジュール１の構成について、図１乃至７とともに、詳述する。  
なお、図１はＬＥＤモジュール１の斜視図を示し、図２はＬＥＤモジュール１の分解斜視図を示し、図３はデバイスホルダー７への接続端子６の組み付けについての斜視図による説明図を示し、図４はデバイスホルダー７への電子デバイス３及び中間端子５の組み付けについての斜視図による説明図を示している。
【００２１】
さらに、図５は中間端子５の回転装着についての横断断面図による説明図を示し、図６はデバイスホルダー７に組み付けられた状態における電子デバイス３、中間端子５及び接続端子６の斜視図を示し、図７はデバイスホルダー７、フラットケーブル１００及びアンダーホルダー９の組み付けについての斜視図による説明図を示している。
【００２２】
図２において、ＬＥＤモジュール１は、デバイスホルダー７に挿着したＬＥＤ３０や抵抗器４０からなる電子デバイス３をフラットケーブル１００に接続する接続ユニットである。  
電子デバイス３は、光源となるＬＥＤ３０と、ＬＥＤモジュール１の外部から印加される電圧をＬＥＤ３０の特性に合わせて所定電圧に調整する電圧調整回路を構成する抵抗器４０とで構成している。
【００２３】
なお、ＬＥＤ３０は、幅方向Ｗ（フラットケーブル１００の幅方向と同じ方向）及び長手方向Ｌ（フラットケーブル１００の長手方向と同じ方向）の長さに対して高さの低い約１〜２ｍｍ角の略直方体で形成されている。
【００２４】
上記ＬＥＤ３０は上面に平面視円形の発光部３１を備えるとともに、幅方向Ｗの対向する両側面に底面から連続するＬ型の接点３２を備えている。なお、接点３２のうち、幅方向左側ＷＬを一方側接点３２ａとし、図２の右手前側（以下において「幅方向右側ＷＲ」とする。）を他方側接点３２ｂとしている。
【００２５】
抵抗器４０は、ＬＥＤ３０より幅広、同程度の奥行き、並びに１／４程度の高さで形成された幅方向Ｗに長い薄型の直方体形状であり、幅方向Ｗの対向する両側面に底面から上面まで連続する接点４１を備えている。なお、接点４１のうち、幅方向左側ＷＬを一方側接点４１ａとし、幅方向右側ＷＲを他方側接点４１ｂとしている。
【００２６】
このような構成のＬＥＤ３０と抵抗器４０とは、フラットケーブル１００の長手方向Ｌに沿って、図２の左手前側（以下において「長手方向手前側ＬＦ」とする。）に抵抗器４０を、図２の右奥側（以下において「長手方向奥側ＬＢ」とする。）にＬＥＤ３０を、対向する接点３２ａ，３２ｂ及び接点４１ａ，４１ｂが幅方向Ｗにそれぞれ並ぶように配置されている。
【００２７】
中間端子５は、１枚の適宜の弾性を有する銅合金製のプレートから形成される。詳しくは、プレス加工により、長手方向Ｌに並ぶ２つの開口５５（５５ａ，５５ｂ）を打ち抜き、長手方向Ｌに間隔を隔てて配置した３本の平行な幅方向Ｗのメインスプリング５１と、３本のメインスプリング５１の端部を連結する長手方向Ｌの２本の平行する長手方向フレーム５３（５３ａ，５３ｂ）とで構成された平面視略日の字型に形成している。
【００２８】
なお、長手方向Ｌに間隔を隔てて配置した３本の平行な幅方向Ｗのメインスプリング５１は、長手方向手前側ＬＦから長手方向奥側ＬＢに向かって、メインスプリング５１ａ，メインスプリング５１ｂ及びメインスプリング５１ｃとしている。
【００２９】
また、長手方向Ｌに並ぶ２つの開口５５のうち、長手方向手前側ＬＦに配置された開口５５ｂの長手方向Ｌの長さは、長手方向奥側ＬＢに配置された開口５５ａの長手方向Ｌの長さの１／４程度に形成されている。
【００３０】
詳しくは、長手方向手前側ＬＦの開口５５ｂを構成する長手方向手前側ＬＦのメインスプリング５１ａ及び間に配置されたメインスプリング５１ｂの長手方向Ｌの外側寸法を、後述する抵抗器収容部７２の長手方向Ｌの長さと略同一に形成している。また、長手方向奥側ＬＢの開口５５ａの長手方向Ｌの内側寸法を、後述するＬＥＤ収容部７１の長手方向Ｌの長さよりわずかに長く形成している。
【００３１】
３本のメインスプリング５１の端部を連結する長手方向フレーム５３は、メインスプリング５１に対して、下向きに折り曲げられ、略鉛直方向に形成されている。そして、メインスプリング５１の幅方向両側に配置する長手方向フレーム５３のうち、幅方向左側ＷＬを係着フレーム５３ａとし、幅方向右側ＷＲを回転軸フレーム５３ｂとしている。
【００３２】
さらに、幅方向左側ＷＬの係着フレーム５３ａは、電子デバイス収容部７０の幅方向左側の側面に形成した被係着凸部７０ｂ（図５参照）に係着するべく、幅方向内側に凸な湾曲形状で形成されている。
【００３３】
また、幅方向右側の回転軸フレーム５３ｂにおいて、２つの開口５５に対応する長手方向Ｌの位置に、回転軸フレーム５３ｂの下端から突出する突出部分を幅方向Ｗの内側にカールさせ、さらに上向きにカールさせて形成した端子接触部５２を形成している。
【００３４】
こうして、回転軸フレーム５３ｂの下端からの突出部分をカールさせて形成した端子接触部５２は、カール部分でサブスプリング５２ａを構成するとともに、カール部分の一部を凸状に切欠いて逆Ｕ字型の内部に突出させたストッパ片５２ｂを備えている。
【００３５】
板状のメインスプリング５１は、幅方向Ｗの付勢力によってバネ定数ｋ１のスプリングを構成し、カールによって形成されたサブスプリング５２ａは幅方向Ｗの付勢力によってバネ定数ｋ２のスプリングを構成している。
【００３６】
なお、バネ定数ｋ１は、メインスプリング５１の回転軸フレーム５３ｂを固定し、係着フレーム５３ａを回転軸フレーム５３ｂの反対側へ変位させ（図４（ｂ）、図５（ａ）（ｂ）のように装着する際に変位するのと同様）、その際の反力と変位の関係をあらわしたものであり、「反力÷変位」によって求めることができる。
【００３７】
バネ定数ｋ２は、メインスプリング５１の回転軸フレーム５３ｂを固定し、端子接触部５２のサブスプリング５２ａを、係着フレーム５３ａと反対側へ変位させ（図４（ｂ）、図５（ａ）（ｂ）のように装着する際に変位するのと同様）、その際の反力と変位の関係をあらわしたものであり、「反力÷変位」によって求めることができる。
【００３８】
これらバネ定数ｋ１，ｋ２はロードセル等を用いた測定結果から算出する、実際に係着フレーム５３ａ、あるいはサブスプリング５２ａの荷重−変位曲線の弾性変形の範囲の傾きから求めることができる。また、ｋ１＞ｋ２とする手段は、形状、曲げ加工の加工率を適宜調整する方法を用いれば良い。
【００３９】
デバイスホルダー７は、電子デバイス３、中間端子５及び接続端子６を挿着固定する、上面が開放された正面視略かまぼこ型のホルダーであり、挟込方向ｗ（図５参照）の側方からの電子デバイス３の差込挿着を許容する差込挿着口７０ａ（７１ａ，７２ａ）を有する電子デバイス収容部７０（７１，７２）を形成している。なお、開放された上面部分には、抵抗器収容部７２の嵌着を許容する露出開口７５ａを上面に備えた上面カバー７５が嵌着される。  
また、底面７ａに接続端子６を挿着固定する接続端子挿着凹部７９と、四隅近傍に下向きに突出するパイロットピン８０を備えている。
【００４０】
電子デバイス収容部７０は、ＬＥＤ３０を差込挿着するＬＥＤ収容部７１と、抵抗器４０を差込挿着する抵抗器収容部７２とを一体構成し、電子デバイス収容部７０の幅方向右側ＷＲの側面にそれぞれの差込挿着口７０ａ（７１ａ，７２ａ）を備えている。
【００４１】
差込挿着するＬＥＤ３０の発光部３１に対応する上面の位置に平面視円形の露出開口７１ｂを有するＬＥＤ収容部７１は、抵抗器収容部７２より中間端子５の厚み分程度に高く形成されている。
【００４２】
なお、ＬＥＤ収容部７１の平面サイズは、上述したように、長手方向奥側ＬＢの開口５５ａよりひと回り小さく、開口５５ａの内側に嵌り込むサイズで形成されている。また、抵抗器収容部７２の平面サイズも、上述のように２本のメインスプリング５１ａ，５１ｂの外側サイズと略同一のサイズで形成されている。
【００４３】
したがって、開口５５ａにＬＥＤ収容部７１がはめ合わせられ、抵抗器収容部７２の上部に長手方向手前側ＬＦ及び３本のうち間の２本のメインスプリング５１が配置されるように中間端子５はデバイスホルダー７に装着され、デバイスホルダー７に対する水平方向を略固定することができる。
【００４４】
なお、内部に、デバイスホルダー７の底面７ａに形成された接続端子挿着凹部７９に挿着された接続端子６の接触プレート６１の挿通を許容する貫通孔７３が形成された電子デバイス収容部７０（７１，７２）に、ＬＥＤ３０及び抵抗器４０を差込挿着することによって、デバイスホルダー７に対する長手方向Ｌ及び高さ方向の位置を略拘束することができる。
【００４５】
後述する接続端子６の挿着を許容する接続端子挿着凹部７９は、それぞれのピアス部６３の挿着を許容する溝形状で構成するとともに、上述の貫通孔７３を備えている。
【００４６】
接続端子６は、ＬＥＤ３０をフラットケーブル１００に接続するＬＥＤ用接続端子６ｂと、抵抗器４０をフラットケーブル１００に接続する抵抗用接続端子６ａの２種類があり、それぞれは上から順に、ＬＥＤ３０及び抵抗器４０の接触端子３２，４１と接触する接触凸部６１ａを有する接触プレート６１と、該接触プレート６１に対して略直角で平面視カギ状の水平プレート部６２と、該水平プレート部６２の先端に備えたピアス部６３とで構成している。
【００４７】
ＬＥＤ用接続端子６ｂと抵抗用接続端子６ａとは、水平プレート部６２における幅方向Ｗの長さとカギ状の向きとを調整することでピアス部６３が、フラットケーブル１００の導電体１０１の位置に合うとともに、長手方向Ｌの位置が合うように配置することができる。
【００４８】
ピアス部６３は、上方に凸な正面視半円形のルーフ部６３ａと、該ルーフ部６３ａの幅方向Ｗ両端から下方に突出するピアス刃６３ｂとで構成している。なお、本実施例においては、１つのピアス部６３には、一端側で長手方向Ｌの所定間隔を隔てて配置した２枚のピアス刃６３ｂと他端側の１枚のピアス刃６３ｂとの計３枚のピアス刃６３ｂを備えている。
【００４９】
なお、中間端子５及び接続端子６は、０．１〜０．５ｍｍ厚の銅合金製板材で構成しているが、ＬＥＤ３０のサイズ等に合わせて、０．２〜０．２５ｍｍ厚程度の銅合金製板材が好適である。また、導電性を有するものであれば良く、上記銅合金に限定されない。
【００５０】
フラットケーブル１００は、幅方向Ｗに所定間隔を隔てて配設した２本の導電体１０１と、２本の導電体１０１を一体的に平板状に被覆する不導電性ラミネートシート１０２とで構成している。  
また、不導電性ラミネートシート１０２の幅方向Ｗの両端部におけるデバイスホルダー７のパイロットピン８０に対応する位置に、幅方向内側に半円形状の切欠き１０２ａを四ヶ所備えている。
【００５１】
アンダーホルダー９は、上面に、フラットケーブル１００の係着を許容する、フラットケーブル１００よりわずかに幅が広く、深さがフラットケーブル１００の厚さよりわずかに深い係着溝９１を形成し、該係着溝９１の側部をまたぐようにして、デバイスホルダー７のパイロットピン８０に対応する位置に、パイロットピン８０の挿入を許容するパイロットホール８１を四ヶ所備えている。また、係着溝９１の平面視中央付近にフラットケーブル１００を貫通したピアス刃６３ｂの当接を回避する回避凹部９２を備えている。
【００５２】
次に、それぞれを上記構成で構成したＬＥＤモジュール１の組み付けについて説明する。  
まず、図３（ａ）に示すように、底面７ａが上側となるように上下逆さまにしたデバイスホルダー７の接続端子挿着凹部７９に、ピアス刃６３ｂが上方に突出するように上下逆さまにした接続端子６を、貫通孔７３（図５参照）に接触プレート６１が貫通するように挿着する。
【００５３】
この接続端子挿着凹部７９への接続端子６の挿着によって、接続端子６は、図３（ｂ）に示すように、ピアス刃６３ｂがデバイスホルダー７の底面７ａから突出する態様となる。なお、図示省略するが、このように、デバイスホルダー７の底面７ａに形成したデバイスホルダー７９に接続端子６を挿着することで、各接続端子６の接触プレート６１は、それぞれの電子デバイス収容部７０内部の貫通孔７３から突出する態様となる。
【００５４】
そして、図４（ａ）に示すように、接続端子６が挿着されたデバイスホルダー７において、幅方向右側ＷＲから、矢印Ａで示す方向に、ＬＥＤ３０及び抵抗器４０を差込挿着口７１ａ，７２ａを通じて、ＬＥＤ収容部７１及び抵抗器収容部７２に差込挿着する。これにより、電子デバイス３を確実に所定の位置に配置することができる。
【００５５】
この状態で、図４（ｂ）および図５（ａ）に示すように、幅方向左側ＷＬの係着フレーム５３ａを上方にして幅方向Ｗに傾斜させた中間端子５を、電子デバイス収容部７０に差込挿着された電子デバイス３の他方側接点３２ｂ，４１ｂに端子接触部５２を接触させ、この接触部分を回転軸として、係着フレーム５３ａを電子デバイス収容部７０の幅方向左側ＷＬ側の側面に係着させるべく、矢印Ｂ方向に、回転させて中間端子５を装着する（図４（ｃ）及び図５（ｂ）参照）。
【００５６】
このとき、バネ定数ｋ２が、メインスプリング５１のバネ定数ｋ１より小さく設定された端子接触部５２のサブスプリング５２ａがメインスプリング５１より先に、そして、ストッパ片５２ｂによって規制されるまで変形する。
【００５７】
そのうえ、接触プレート６１と端子接触部５２とで対向する一方側接点４１ａ，４１ｂを挟込方向ｗの両側から挟みこむために必要な変形分をメインスプリング５１が変形して、図５（ｂ）に示すように、抵抗器４０の接点４１を挟込方向ｗの両側から、メインスプリング５１とサブスプリング５２ａの付勢力によって付勢して挟み込むことができる。
【００５８】
なお、ストッパ片５２ｂによって規制される端子接触部５２の変形量は、サブスプリング５２ａが塑性変形する塑性領域における変形量であるため、サブスプリング５２ａによる所望の付勢力を得ることができるとともに、変形性能を十分に発揮させている。
【００５９】
また、接触プレート６１と端子接触部５２とで電子デバイス３を挟み込む挟込位置が、メインスプリング５１の高さと異なるため、メインスプリング５１による変形分は、メインスプリング５１の長さ方向（すなわち幅方向Ｗ）の伸びだけでなく、高さ方向への湾曲によって実現している。
【００６０】
したがって、すべての変形量を板状のメインスプリング５１の長さ方向の変形による場合と比較して、過度の付勢力を電子デバイス３に作用することを防止している。
【００６１】
なお、図示省略しているが、ＬＥＤ３０も同様に、接触プレート６１と端子接触部５２とで対向する接点３２ａ，３２ｂを挟込方向ｗの両側から、メインスプリング５１とサブスプリング５２ａの付勢力によって付勢して挟み込むことができる。したがって、図６に示すように、ＬＥＤ３０及び抵抗器４０は、電子デバイス収容部７０の内部において、宙に浮いた状態で接触プレート６１と端子接触部５２とで両側から挟み込まれた状態となっている。
【００６２】
このように、電子デバイス３、中間端子５及び接続端子６が挿着されたデバイスホルダー７と、アンダーホルダー９とでフラットケーブル１００を上下方向に挟み込み、最後にデバイスホルダー７の上方から上面カバー７５を装着して、ＬＥＤモジュール１を組み立てる（図７参照）。
【００６３】
詳しくは、上下に配置したデバイスホルダー７及びアンダーホルダー９の間にフラットケーブル１００を配置し、フラットケーブル１００をアンダーホルダー９の係着溝９１に、切欠き１０２ａとパイロットホール８１とが対応する位置で係着させ（図７（ｂ）参照）、アンダーホルダー９のパイロットホール８１にデバイスホルダー７のパイロットピン８０を挿入して、アンダーホルダー９とデバイスホルダー７とを嵌合させてＬＥＤモジュール１を組み立てる。
【００６４】
このアンダーホルダー９とデバイスホルダー７との嵌合によって、デバイスホルダー７の底面７ａから下方に突出するピアス部６３のピアス刃６３ｂは、接続端子挿着凹部７９を介してルーフ部６３ａが下方に押圧され、フラットケーブル１００の不導電性ラミネートシート１０２ごと導電体１０１を貫通して接続端子６と導電体１０１とは電気的に接続される。
【００６５】
なお、フラットケーブル１００を貫通したピアス刃６３ｂの先端は、回避凹部９２に挿入されるような態様となるため、ピアス刃６３ｂの貫通した先端による悪影響を及ぼすことなくデバイスホルダー７とアンダーホルダー９とを嵌合することができる。
【００６６】
このように、デバイスホルダー７に挿着された中間端子５及び接続端子６における端子接触部５２と接触プレート６１とで、電子デバイス３を対向方向である幅方向Ｗの両側から付勢しながら挟み込んでいるため、電子デバイス３とフラットケーブル１００とを安定した接続状態で接続することができる。
【００６７】
詳しくは、開口５５ａにＬＥＤ収容部７１が収まり、電子デバイス収容部７０の幅方向左側ＷＬの側面に形成した被係着凸部７０ｂに係着フレーム５３ａを係着させて中間端子５をデバイスホルダー７に装着しているため、デバイスホルダー７に対する中間端子５の水平方向位置を確実に固定するとともに、電子デバイス収容部７０に係着した係着フレーム５３ａによる係着部分を反力として、メインスプリング５１及びサブスプリング５２ａの付勢力を効率的に作用させて、接続端子６の接触プレート６１と中間端子５の端子接触部５２とで電子デバイス３を対向方向の両側から付勢しながら挟み込んで、安定した接続状態で接続することができる。
【００６８】
さらにまた、３本のメインスプリング５１と、端子接触部５２と接触プレート６１とで電子デバイス３を挟み込む挟み込み位置と、３本のメインスプリング５１の高さが偏心しているため、板状のメインスプリング５１が長さ方向に伸びるだけでなく、高さ方向に湾曲することによって変形できる。
【００６９】
したがって、メインスプリング５１が変形した場合であっても、適度の付勢力での挟込状態を実現することができる。よって、確実に、サブスプリング５２ａやメインスプリング５１を機能させて、確実に付勢した状態で接続することができる。
【００７０】
また、ＬＥＤ収容部７１及び抵抗器収容部７２に、挟込方向ｗの外側である幅方向右側ＷＲから差込挿着口７０ａを通じて差込挿着できるため、ＬＥＤ３０及び抵抗器４０を所望の位置に容易かつ確実に配置することができる。したがって、確実に接触プレート６１と端子接触部５２とでＬＥＤ３０及び抵抗器４０を挟み込むことができる。
【００７１】
また、接触プレート６１が内部の貫通孔７３から突出する電子デバイス収容部７０に電子デバイス３を差込挿着したデバイスホルダー７に、中間端子５を矢印Ｂ方向に回転させて装着できるため、容易に、接触プレート６１と端子接触部５２とで挟み込むことができる。
【００７２】
なお、電子デバイス収容部７０への差し込み方向を、挟込方向ｗと同方向にしたことによって、電子デバイス収容部７０に収容された電子デバイス３が、挟込方向ｗと交差する方向に外れ出ることを防止できる。すなわち、ＬＥＤモジュール１は、電子デバイス収容部７０に収容された電子デバイス３を、接触プレート６１と端子接触部５２とで挟まれた状態で確実に保持することができ、接続信頼性の高い接続を実現することができる。
【００７３】
また、前記中間端子５には、メインスプリング５１と、端子接触部５２に備えたサブスプリング５２ａとを備え、サブスプリング５２ａのバネ定数ｋ２を、メインスプリング５１のバネ定数ｋ１と異なるバネ定数であり、ｋ１＞ｋ２となるように設定しているため、最初に端子接触部５２が変形し、その後メインスプリング５１が変形するように設定できる。
【００７４】
また、端子接触部５２には、所定の変形量以上の変形を制限するストッパ片５２ｂを備えており、端子接触部５２はストッパ片５２ｂによって、塑性変形領域での所定変形量まで変形可能に構成されている。
【００７５】
これにより、サブスプリング５２ａの変形量を所望の変形量に調整できるため、たとえば、メインスプリング５１とサブスプリング５２ａとの変形量の比率を適した比率に設定することができるとともに、残りの変形分を中間端子５の撓みによって吸収することができる。したがって、電子デバイス３による公差や、デバイスホルダー７のクリープ変形等を考慮した場合であっても、確実に付勢した状態での挟み込みを実現することができる。
【００７６】
これにより、たとえば、寸法公差を含むような大きな変形に対応して接続状態を確保することができる。したがって、確実に付勢した状態で挟み込んで、電子デバイス３とフラットケーブル１００とを安定した接続状態で接続することができる。
【００７７】
なお、上述のＬＥＤモジュール１のフラットケーブル１００への取付け方法の説明においては、ピアス刃６３ｂでフラットケーブル１００を貫通させて電気的に接続したが、ピアス刃６３ｂの抜け出しを防止するために、フラットケーブル１００の底面から突出する部分をカールさせてもよいし、抜け留治具で抜け留してもよい。
【００７８】
また、上記実施例において、端子接触部５２に第２バネを構成するサブスプリング５２ａを備えたが、接続端子６に第２バネを備えてもよく、端子接触部５２と接続端子６との両方に第２バネを構成してもよい。
【００７９】
以上、この発明の構成と、上述の実施形態との対応において、
この発明の電子部品は、電子デバイス３、ＬＥＤ３０あるいは抵抗器４０に対応し、
以下同様に、
電気ケーブルは、フラットケーブル１００に対応し、
接続端子は、接続端子６、抵抗用接続端子６ａあるいはＬＥＤ用接続端子６ｂに対応し、
一方の接点は、一方側接点３２ａ，４１ａに対応し、
他方の接点は、他方側接点３２ｂ，４１ｂに対応し、
端子部材は、中間端子５に対応し、
函体は、デバイスホルダー７に対応し、
第１バネは、メインスプリング５１に対応し、
係着部は、係着フレーム５３ａに対応し、
接触部分は、端子接触部５２に対応し、
第２バネは、サブスプリング５２ａに対応し、
接続構造は、ＬＥＤモジュール１に対応し、
変形制限手段は、ストッパ片５２ｂに対応し、
電子部品収容部は、電子デバイス収容部７０、ＬＥＤ収容部７１あるいは抵抗器収容部７２に対応し、
接続端子の接触部分は、接触プレート６１に対応し、
連結部材は、長手方向フレーム５３、係着フレーム５３ａあるいは回転軸フレーム５３ｂに対応し、
開口部は、開口５５，５５ａ，５５ｂに対応するも、
この発明は、上述の実施形態の構成のみに限定されるものではなく、多くの実施の形態を得ることができる。
【００８０】
フラットケーブル１００は、ピアス部６３が接続しやすい絶縁部材である不導電性ラミネートシート１０２で被覆されたフラットケーブル１００であればよく、特に、本実施形態のものに限定されるものではないが、不導電性ラミネートシート１０２の材質としては、具体的にはＰＥＴ樹脂が好ましい。
【００８１】
また、導電体１０１についても、放熱性に優れる帯状の導電体だけでなく、丸形断面の導電体であってもよく、導電体１０１の材質としては導電性を有するものであれば良いが、好ましくは金属製、より好ましくは導電性に優れる銅、銅合金が良い。
【図面の簡単な説明】
【００８２】
【図１】ＬＥＤモジュールの斜視図。
【図２】ＬＥＤモジュールの分解斜視図。
【図３】デバイスホルダーの接続端子の組み付けについての説明図。
【図４】デバイスホルダーへの電子デバイス及び中間端子の組み付けについての説明図。
【図５】中間端子の回転装着についての横断断面図による説明図。
【図６】デバイスホルダーに組み付けられた状態における電子デバイス、中間端子及び接続端子６の斜視図。
【図７】デバイスホルダー、フラットケーブル及びアンダーホルダーの組み付けについての斜視図による説明図。
【符号の説明】
【００８３】
１…ＬＥＤモジュール
３…電子デバイス
５…中間端子
６…接続端子
６ａ…抵抗用接続端子
６ｂ…ＬＥＤ用接続端子
７…デバイスホルダー
３０…ＬＥＤ
４０…抵抗器
３２，４１…接点
３２ａ，４１ａ…一方側接点
３２ｂ，４１ｂ…他方側接点
５１…メインスプリング
５２…端子接触部
５２ａ…サブスプリング
５２ｂ…ストッパ片
５３…長手方向フレーム
５３ａ…係着フレーム
５３ｂ…回転軸フレーム
５５，５５ａ，５５ｂ…開口
６１…接触プレート
７０…電子デバイス収容部
７１…ＬＥＤ収容部
７２…抵抗器収容部
７０ａ，７１ａ，７２ａ…差込挿着口
１００…フラットケーブル
ｗ…挟込方向
【図１】
0005100522.tif 000002
【図２】
0005100522.tif 000003
【図３】
0005100522.tif 000004
【図４】
0005100522.tif 000005
【図５】
0005100522.tif 000006
【図６】
0005100522.tif 000007
【図７】
0005100522.tif 000008